(57)【要約】【課題】踏切動作状態記憶装置からデータを読み出す際の作業者の踏切器具箱付近の滞在時間を短縮することができる踏切動作状態記憶装置用インタフェース装置を提供する。【解決手段】踏切動作状態記憶装置２００ａ，２００ｂの種別に応じて、踏切動作状態記憶装置２００ａ，２００ｂに対して直接又は接続用ケーブル１４０を介して接続されたインタフェース装置１００は、作業者が操作するスマートフォン３００からの無線通信による指示に従って、踏切動作状態記憶装置２００ａ，２００ｂに記憶されたデータを読み出し、読み出したデータを、スマートフォン３００に対して、無線通信により送信する。【選択図】図３
2016203831.tif 000002
【特許請求の範囲】
【請求項１】
踏切動作状態記憶装置が記憶するデータを読み出して、端末装置に送信するためのインタフェース装置であって、
前記踏切動作状態記憶装置に接続するためのコネクタと、
前記コネクタを介して、前記踏切動作状態記憶装置が記憶するデータを読み出すデータ読み出し部と、
前記踏切動作状態記憶装置から読み出されたデータを、端末装置に送信するための無線通信部と
を備えたことを特徴とするインタフェース装置。
【請求項２】
第一の踏切動作状態記憶装置に接続するための第一のコネクタと、
第二の踏切動作状態記憶装置に接続するための第二のコネクタと
を備え、
前記第一の踏切動作状態記憶装置と前記第二の踏切動作状態記憶装置とは、種別が異なる
ことを特徴とする請求項１に記載のインタフェース装置。
【請求項３】
データ読み出し対象となる踏切動作状態記憶装置の種別を選択するための選択部を更に備える
ことを特徴とする請求項１又は２に記載のインタフェース装置。
【請求項４】
前記コネクタを介して、前記踏切動作状態記憶装置に直接接続できるように形成されていることを特徴とする請求項１〜３のいずれか一項に記載のインタフェース装置。
【請求項５】
前記端末装置は、スマートフォンである
ことを特徴とする請求項１〜４のいずれか一項に記載のインタフェース装置。
【発明の詳細な説明】
【技術分野】
【０００１】
本発明は、踏切に設置された踏切保安装置の動作状態を記憶する踏切動作状態記憶装置に関し、特に、踏切動作状態記憶装置が記憶するデータを読み出すための装置に関する。
【背景技術】
【０００２】
鉄道と道路が平面交差する踏切（道）には、通常、踏切警報機や踏切遮断機等の踏切保安装置が設置されている。そして、このような踏切保安装置に対しては、踏切保安装置の動作状態を示すリレー信号の時間変化を記憶する踏切動作状態記憶装置が設置されていることがある。踏切動作状態記憶装置に記憶されているデータを解析することにより、障害発生時の原因究明等に役立てることができる。
【０００３】
踏切動作状態記憶装置に記憶されているデータを、踏切動作状態記憶装置から読み出す際は、通常、踏切動作状態記憶装置に、データ読み出し用の装置をケーブルを介して接続して、データの読み出しを行っていた。踏切動作状態記憶装置は、通常、各踏切の近くに設けられている踏切器具箱内に設置されているので、踏切動作状態記憶装置からのデータ読み出し作業は、踏切器具箱付近で行う必要があった。そのため、作業者は、データ読み出し作業が完了するまで、踏切器具箱付近にいる必要があった。
【０００４】
しかしながら、作業者の安全や荒天時等の作業者の利便性を考えた場合、踏切器具箱付近の滞在時間はできるだけ短い方が望ましい。
【０００５】
なお、特開２００３−２６１０２９号公報には、リレーで構成されている踏切保安設備の監視を行うための踏切保安設備監視装置であって、前記踏切保安設備の各リレーの動作状態を示す各リレー接点状態情報が入力される信号入力手段と、入力された各前記リレー接点状態情報に時刻情報を付加する時刻情報付加手段と、前記時刻情報が付加された前記リレー接点状態情報を記憶する動作状態記憶手段等を備えた踏切保安設備監視装置が開示されている。
【先行技術文献】
【特許文献】
【０００６】
【特許文献１】特開２００３−２６１０２９号公報
【発明の概要】
【発明が解決しようとする課題】
【０００７】
本発明の目的は、踏切動作状態記憶装置からデータを読み出す際の作業者の踏切器具箱付近の滞在時間を短縮することができる踏切動作状態記憶装置用インタフェース装置を提供することにある。
【課題を解決するための手段】
【０００８】
本発明に係るインタフェース装置は、踏切動作状態記憶装置が記憶するデータを読み出して、端末装置に送信するためのインタフェース装置であって、前記踏切動作状態記憶装置に接続するためのコネクタと、前記コネクタを介して、前記踏切動作状態記憶装置が記憶するデータを読み出すデータ読み出し部と、前記踏切動作状態記憶装置から読み出されたデータを、端末装置に送信するための無線通信部とを備えたことを特徴とする。
【０００９】
この場合において、前記コネクタを複数備えるようにしてもよい。更に、第一の踏切動作状態記憶装置に接続するための第一のコネクタと、第二の踏切動作状態記憶装置に接続するための第二のコネクタとを備え、前記第一の踏切動作状態記憶装置と前記第二の踏切動作状態記憶装置とは、種別が異なるようにしてもよい。この場合、前記第一の踏切動作状態記憶装置と前記第二の踏切動作状態記憶装置とは、データ読み出し用のインタフェースが異なるようにしてもよい。
【００１０】
また、以上の場合において、データ読み出し対象となる踏切動作状態記憶装置の種別を選択するための選択部を更に備えるようにしてもよい。この場合、前記データ読み出し部は、前記選択部によって選択された種別に対応するコネクタを介して、前記踏切動作状態記憶装置が記憶するデータを読み出すようにしてもよい。また、前記データ読み出し部は、前記選択部によって選択された種別に応じて、データの読み出し方法を切り換えるようにしてもよい。
【００１１】
また、以上の場合において、前記コネクタを介して、前記踏切動作状態記憶装置に直接接続できるように形成されているようにしてもよい。また、前記端末装置は、スマートフォンであるようにしてもよい。
【発明の効果】
【００１２】
本発明によれば、踏切動作状態記憶装置からデータを読み出す際の作業者の踏切器具箱付近の滞在時間を短縮することが可能となる。
【図面の簡単な説明】
【００１３】
【図１】本発明によるインタフェース装置１００の外観を説明するための図（左側面図及び正面図）である。
【図２】本発明によるインタフェース装置１００の外観を説明するための図（背面図及び底面図）である。
【図３】インタフェース装置１００の使用形態を説明するための図である。
【図４】インタフェース装置１００のハードウェア構成を説明するための図である。
【図５】インタフェース装置１００の機能構成を説明するための図である。
【発明を実施するための形態】
【００１４】
以下、本発明の実施の形態について、図面を参照しつつ詳細に説明する。
【００１５】
本発明による踏切動作状態記憶装置用インタフェース装置（以下、単に、「インタフェース装置」という）は、踏切動作状態記憶装置に接続されて使用される装置であって、踏切動作状態記憶装置から読み出されたデータを、作業者が携帯する端末装置（携帯端末）に無線通信により送信するものである。なお、以下に示す実施形態においては、端末装置としては、Ｂｌｕｅｔｏｏｔｈ（登録商標）による無線通信機能を備えたスマートフォンを利用し、インタフェース装置と端末装置（スマートフォン）との間の無線通信には、Ｂｌｕｅｔｏｏｔｈを利用する。
【００１６】
また、以下に示す実施形態は、データ読み出し用のインタフェースが異なる複数種類の踏切動作状態記憶装置に対して使用することができるように構成されている。具体的には、データ読み出し用のインタフェースとして、出願人独自の専用インタフェースを備える踏切動作状態記憶装置（以下、「ＶＡＭ」という）と、データ読み出し用のインタフェースとして、汎用インタフェースであるＲＳ−２３２Ｃを備える踏切動作状態記憶装置（以下、「ＶＡＭ３２」という）それぞれに対して使用することができるように構成されている。ＶＡＭ及びＶＡＭ３２は共に、入力されるリレー信号を監視し、リレー信号に変化があると、変化時の時刻と各リレー信号の状態とを対応付けて記憶するものであるが、データ読み出し用のインタフェースが異なっており、更に、監視可能なリレー信号数や、記憶可能なデータ数（変化数）等が異なっている。
【００１７】
図１及び図２は、本発明によるインタフェース装置１００の外観を説明するための図である。図１（ａ）は左側面図を示し、同図（ｂ）は正面図を示し、図２（ａ）は、背面図を示し、同図（ｂ）は底面図を示す。
【００１８】
図１及び図２に示すように、本発明によるインタフェース装置１００は、概ね直方体状の形状を有し、正面側に、各種状態を表示するため発光ダイオード（ＬＥＤ）１１１〜１１３を備えている。また、側面側に、電源スイッチ１２１と、種別スイッチ１２２とを備えている。また、背面側及び底面側に、ＶＡＭ接続用コネクタ１３１及びＶＡＭ３２接続用コネクタ１３２を備えている。
【００１９】
電源ＬＥＤ１１１は、インタフェース装置１００の電源が入っているときに点滅するものである。伝送ＬＥＤ１１２は、インタフェース装置１００とスマートフォンとの間の伝送状態を示すものであって、インタフェース装置１００とスマートフォンとの間で伝送が行われている間、点滅する。伝送ＬＥＤ１１３は、インタフェース装置１００とＶＡＭ又はＶＡＭ３２との間の伝送状態を示すものであって、インタフェース装置１００とＶＡＭ又はＶＡＭ３２との間で伝送が行われている間、点滅する。
【００２０】
電源スイッチ１２１は、インタフェース装置１００の電源を投入するためのスライドスイッチである。本実施形態においては、インタフェース装置１００は、内蔵する電池（具体的には、単四電池３本）によって駆動されるように構成されており、電源スイッチ１２１を操作して一方の側（図１における上側）に移動させると、内蔵された電池からの電力が、インタフェース装置１００を構成する各部に供給されるように構成されている。
【００２１】
種別スイッチ１２２は、インタフェース装置１００によるデータ読み出し対象となる踏切動作状態記憶装置の種別を選択するためのスライドスイッチである。具体的には、種別スイッチ１２２を操作して一方の側（図１における上側）に移動させると、ＶＡＭ（第一の踏切動作状態記憶装置）が選択されたことになり、種別スイッチ１２２を他方の側（図１における下側）に移動させると、ＶＡＭ３２（第二の踏切動作状態記憶装置）が選択されたことになる。後述するように、インタフェース装置１００は、種別スイッチ１２２による選択状態に応じて、内部動作（動作モード）を変更する。
【００２２】
ＶＡＭ接続用コネクタ１３１は、インタフェース装置１００をＶＡＭ（第一の踏切動作状態記憶装置）に接続する際に使用されるコネクタ（第一のコネクタ）であって、インタフェース装置１００の背面側に設けられている。本実施形態においては、インタフェース装置１００は、ＶＡＭ接続用コネクタ１３１を介して、ＶＡＭの前面に設けられたコネクタに直接接続できるように形成されている。すなわち、ＶＡＭに装着された際に、ＶＡＭとインタフェース装置１００との間に干渉が生じないような形状に形成されている。
【００２３】
ＶＡＭ３２接続用コネクタ１３２は、インタフェース装置１００をＶＡＭ３２（第二の踏切動作状態記憶装置）に接続する際に使用されるコネクタ（第二のコネクタ）であって、インタフェース装置１００の底面側に設けられている。インタフェース装置１００をＶＡＭ３２に接続する際は、接続用ケーブル（具体的には、ＲＳ−２３２Ｃ用の延長ケーブル）の一端がＶＡＭ３２接続用コネクタ１３２に接続され、接続用ケーブルの他端が、ＶＡＭ３２の前面に設けられたコネクタに接続されることになる。
【００２４】
なお、ＶＡＭ接続用コネクタ１３１及びＶＡＭ３２接続用コネクタ１３２は共に、Ｄｓｕｂ９ピンコネクタであって、物理的な形状は同一となっているが、信号配置等が異なっている。
【００２５】
図３は、インタフェース装置１００の使用形態を説明するための図である。同図（ａ）は、インタフェース装置１００をＶＡＭに接続して使用する場合を示し、同図（ｂ）は、インタフェース装置１００をＶＡＭ３２に接続して使用する場合を示している。
【００２６】
インタフェース装置１００をＶＡＭに接続して使用する場合は、同図（ａ）に示すように、インタフェース装置１００は、ＶＡＭ（２００ａ）の前面に設けられたコネクタに直接接続される。すなわち、インタフェース装置１００の背面に設けられたＶＡＭ接続用コネクタ１３１と、ＶＡＭ（２００ａ）の前面に設けられたコネクタとが直接接続される。
【００２７】
なお、ＶＡＭの設置状況により、インタフェース装置１００を直接接続できない場合は、後述するＶＡＭ３２の場合と同様に、接続用ケーブルを介して接続することもできるようになっている。
【００２８】
一方、インタフェース装置１００をＶＡＭ３２に接続して使用する場合は、同図（ｂ）に示すように、インタフェース装置１００は、接続用ケーブル（ＲＳ−２３２Ｃ用の延長ケーブル）１４０を介して、ＶＡＭ３２（２００ｂ）の前面に設けられたコネクタに接続される。すなわち、インタフェース装置１００の底面に設けられたＶＡＭ３２接続用コネクタ１３２と、接続用ケーブル１４０の一端とが接続され、接続用ケーブル１４０の他端と、ＶＡＭ（２００ｂ）の前面に設けられたコネクタとが接続される。
【００２９】
同図（ａ）又は（ｂ）に示すように接続された後、インタフェース装置１００は、作業者が操作するスマートフォン３００からの無線通信による指示に従って、ＶＡＭ（２００ａ）又はＶＡＭ３２（２００ｂ）に記憶されたデータを読み出し、読み出したデータを、スマートフォン３００に対して、無線通信により送信する。
【００３０】
次に、インタフェース装置１００のハードウェア構成について説明する。
【００３１】
図４は、インタフェース装置１００のハードウェア構成を説明するための図である。
【００３２】
同図に示すように、インタフェース装置１００は、ＣＰＵ（マイクロコントローラ）４１０と、ＲＡＭ４２０と、無線通信部４３０と、ＶＡＭ接続用コネクタ１３１と、ＶＡＭ用インタフェース回路４４１と、ＶＡＭ３２接続用コネクタ１３２と、ＶＡＭ３２用インタフェース回路４４２と、種別選択部４５０とを備える。
【００３３】
ＣＰＵ４１０は、インタフェース装置１００の動作を制御するためのものであり、内部にメモリ（ＲＯＭ４１１及びＲＡＭ４１２）及びＵＡＲＴ４１３，４１４を備えている。ＣＰＵ４１０は、内部のＲＯＭ４１１に予め記録されたプログラムを実行することで、インタフェース装置１００の各種機能を実現する。
【００３４】
また、ＵＡＲＴ４１３は、無線通信部４３０とのデータのやり取りを制御するためのシリアルインタフェース部であり、ＵＡＲＴ４１４は、ＶＡＭ３２とのＲＳ−２３２Ｃによるシリアル通信を制御するためのシリアルインタフェース部である。
【００３５】
ＲＡＭ４２０は、ＣＰＵ４１０の外部メモリとして使用されるものであって、主に、ＶＡＭから読み出したデータを一時的に格納するために利用される。
【００３６】
無線通信部４３０は、スマートフォン３００との間で無線通信を行うためのものである。本実施形態においては、無線通信部４３０は、Ｂｌｕｅｔｏｏｔｈ用の無線通信モジュールによって構成されており、ＣＰＵ４１０が内蔵するＵＡＲＴ４１３を介して、ＣＰＵ４１０によって制御される。また、本実施形態においては、無線通信部４３０を構成する無線通信モジュールには、ＢｌｕｅｔｏｏｔｈのＳＰＰ（シリアルポートプロファイル）が搭載されており、ＳＰＰによる無線通信が行われる。
【００３７】
ＶＡＭ用インタフェース回路４４１は、ＶＡＭとの間でデータのやり取りをするための外部信号を内部に取り込んだり、内部信号を外部に出力したりするためのものであって、フォトカプラ等で構成される。
【００３８】
ＶＡＭ接続用コネクタ１３１は、前述したように、ＶＡＭとインタフェース装置１００とを接続するためのコネクタであって、ＶＡＭの前面に設けられたコネクタに、直接又は接続用ケーブルを介して接続される。
【００３９】
ＶＡＭ３２用インタフェース回路４４２は、ＶＡＭ３２との間でデータのやり取りをするための外部信号を、内部に取り込んだり、内部信号を外部に出力したりするためのものであって、ＲＳ−２３２Ｃレベルの外部信号と、内部信号との間のレベル変換を行うドライバ／レシーバ等によって構成される。
【００４０】
ＶＡＭ３２接続用コネクタ１３２は、前述したように、ＶＡＭ３２とインタフェース装置１００とを接続するためのコネクタであって、ＶＡＭ３２の前面に設けられたコネクタに、接続用ケーブルを介して接続される。
【００４１】
種別選択部４５０は、データ読み出し対象となる踏切動作状態記憶装置の種別を選択するためのものであって、前述した種別スイッチ１２２によって構成される。種別選択部４５０からは、種別選択信号が出力されており、種別選択信号は、ＣＰＵ４１０の入力ポートに接続されている。種別選択部４５０は、種別スイッチ１２２の状態によって、種別選択信号の状態が変わる（具体的には、信号レベルがＨ又はＬになる）ように構成されている。ＣＰＵ４１０は、入力ポートを介して入力される種別選択信号の状態（信号レベルがＨであるかＬであるか）によって、動作モードを、ＶＡＭモード（ＶＡＭ接続用コネクタ１３１を介したデータ読み出しを行う動作モード）か、ＶＡＭ３２モード（ＶＡＭ３２接続用コネクタ１３２を介したデータ読み出しを行う動作モード）かのいずれかに設定する。
【００４２】
なお、簡単のために図示は省略してあるが、インタフェース装置１００は、更に、各種状態を表示するための表示部（ＬＥＤ１１１〜１１３）や、内蔵する電池から、インタフェース装置１００を構成する各部に電力を供給するための電源回路等を備えている。
【００４３】
次に、インタフェース装置１００の機能構成について説明する。
【００４４】
図５は、インタフェース装置１００の機能構成を説明するための図である。
【００４５】
同図に示すように、インタフェース装置１００は、種別判別部５１０と、受信処理部５２０と、データ読み出し部５３０と、送信処理部５４０とを備える。各部５１０〜５４０は、基本的に、ＣＰＵ４１０が、内部のＲＯＭ４１１に予め記録されたプログラムを実行することによって実現される。
【００４６】
種別判別部５１０は、種別選択部４５０から入力される種別選択信号に基づいて、データ読み出し対象となる踏切動作状態記憶装置がＶＡＭであるかＶＡＭ３２であるかを判別するものである。種別判別部５１０は、インタフェース装置１００の起動時（電源投入時）に、種別選択信号の状態を確認し、種別選択信号の状態に応じて、インタフェース装置１００の動作モードを、ＶＡＭモード又はＶＡＭ３２モードのいずれかに設定する。その後、データ読み出し部５３０等は、動作モードに応じた動作を行うことになる。
【００４７】
受信処理部５２０は、スマートフォン３００から送信されるデータ読み出し指示等を受信するためのものである。具体的には、受信処理部５３０は、無線通信部４３０を制御して、スマートフォン３００が送信したデータ読み出し指示（コマンド及びパラメータ）等を受信する。受信処理部５２０は、更に、スマートフォン３００からデータ読み出し指示を受信すると、データ読み出し部５３０に対して、データ読み出し処理の開始を指示する。
【００４８】
データ読み出し部５３０は、受信処理部５２０からのデータ読み出し指示に基づいて、ＶＡＭ又はＶＡＭ３２からのデータ読み出しを行うものである。すなわち、動作モードがＶＡＭモードの場合は、受信処理部５２０からのデータ読み出し開始の指示に応じて、ＶＡＭ接続用コネクタ１３１に接続されたＶＡＭからのデータ読み出し処理を行う。一方、動作モードがＶＡＭ３２モードの場合は、受信処理部５２０からのデータ読み出し開始の指示に応じて、ＶＡＭ３２接続用コネクタ１３２に接続されたＶＡＭ３２からのデータ読み出し処理を行う。
【００４９】
より具体的には、データ読み出し部５３０は、動作モードがＶＡＭモードの場合は、まず、ＶＡＭに対して、スマートフォン３００から指示されたデータ数（変化数）のデータの送信を指示し、当該指示に応答して、ＶＡＭから送られてくるデータを、一旦、ＲＡＭ４２０に格納する。そして、ＶＡＭからＲＡＭ４２０上へのデータ読み出しが完了すると、送信処理部５４０に対して、ＲＡＭ４２０上に読み出されたデータの送信を指示する。
【００５０】
一方、動作モードがＶＡＭ３２モードの場合は、スマートフォン３００から受信したデータ読み出し指示をそのまま、ＶＡＭ３２に対して送信する。そして、当該データ読み出し指示に応じて、ＶＡＭ３２から順次送信されてくるデータを、そのまま、送信処理部５４０に渡す。
【００５１】
送信処理部５４０は、データ読み出し部５３０によって、ＶＡＭ又はＶＡＭ３２から読み出されたデータ等をスマートフォン３００に対して送信するためのものである。具体的には、送信処理部５４０は、無線通信部４３０を制御して、データ読み出し部５３０によってＲＡＭ４２０上に読み出されたデータや、データ読み出し部５３０から渡されたデータ等を、スマートフォン３００に送信する。
【００５２】
次に、以上のような構成を有するインタフェース装置１００の使用方法について説明する。
【００５３】
踏切において障害が発生した場合等、踏切動作状態記憶装置からのデータ読み出しが必要となった場合、作業者は、データ読み出し対象となる踏切動作状態記憶装置に対して、インタフェース装置１００を接続する。
【００５４】
すなわち、踏切動作状態記憶装置がＶＡＭの場合は、ＶＡＭの前面に設けられたデータ読み出し用のコネクタに対して、インタフェース装置１００のＶＡＭ接続用コネクタ１３１を直接接続することで、インタフェース装置１００をＶＡＭに装着する。なお、踏切器具箱内でのＶＡＭの設置状況等により、インタフェース装置１００を直接接続することができない場合は、接続用ケーブル（ＲＳ−２３２Ｃ用の延長ケーブル）を介して、ＶＡＭの前面に設けられたデータ読み出し用のコネクタと、インタフェース装置１００のＶＡＭ接続用コネクタ１３１とを接続する。
【００５５】
一方、踏切動作状態記憶装置がＶＡＭ３２の場合は、接続用ケーブル（ＲＳ−２３２Ｃ用の延長ケーブル）を介して、ＶＡＭ３２の前面に設けられたデータ読み出し用のコネクタと、インタフェース装置１００のＶＡＭ３２接続用コネクタ１３２とを接続する。
【００５６】
以上のようにして、踏切動作状態記憶装置とインタフェース装置１００との接続が完了したら、次に、インタフェース装置１００を接続した踏切動作状態記憶装置の種別に応じて、種別スイッチ１２２の設定を行う。すなわち、インタフェース装置１００を接続した踏切動作状態記憶装置がＶＡＭの場合は、種別スイッチ１２２をＶＡＭ側（図１における上側）に移動させる。一方、インタフェース装置１００を接続した踏切動作状態記憶装置がＶＡＭ３２の場合は、種別スイッチ１２２をＶＡＭ３２側（図１における下側）に移動させる。
【００５７】
種別スイッチ１２２の設定が完了したら、次に、電源スイッチ１２１をＯＮ側（図１における上側）に移動させて、インタフェース装置１００の電源を投入する。電源が投入されたインタフェース装置１００は、種別スイッチ１２２の状態を読み取って、動作モードをＶＡＭモード又はＶＡＭ３２モードのいずれかに設定した上で、スマートフォン３００からの指示待ち状態となる。
【００５８】
以上のようにして、インタフェース装置１００を使用可能状態にしたら、作業者は、踏切器具箱から離れ、無線通信可能な範囲（例えば、半径１０ｍ以内の範囲）内にある安全な場所に移動して、踏切動作状態記憶装置からのデータ読み出し作業を開始する。
【００５９】
すなわち、作業者は、携帯するスマートフォン３００に予めインストールされているデータ読み出し用のアプリ（プログラム）を実行することで、インタフェース装置１００を接続した踏切動作状態記憶装置からのデータ読み出しを行う。なお、本実施形態においては、ＶＡＭからのデータ読み出し（及び解析）用のアプリ（ＶＡＭ解析アプリ）と、ＶＡＭ３２からのデータ読み出し（及び解析）用のアプリ（ＶＡＭ３２解析アプリ）とがそれぞれ用意されており、ＶＡＭからのデータ読み出しを行う場合は、スマートフォン３００においてＶＡＭ解析アプリを起動し、ＶＡＭ３２からのデータ読み出しを行う場合は、スマートフォン３００においてＶＡＭ３２解析アプリを起動するものとする。
【００６０】
また、スマートフォン３００には、ＢｌｕｅｔｏｏｔｈのＳＰＰが搭載されており、インタフェース装置１００との間の無線通信は、ＢｌｕｅｔｏｏｔｈのＳＰＰにより行われるものとする。
【００６１】
作業者は、踏切動作状態記憶装置からのデータ読み出しを行うため、まず、スマートフォン３００が備えるＢｌｕｅｔｏｏｔｈ通信用の設定機能を使って、インタフェース装置１００とのペアリングを行った上で、Ｂｌｕｅｔｏｏｔｈによる接続を確立する。
【００６２】
次に、作業者は、スマートフォン３００において、データ読み出し対象となる踏切動作状態記憶装置の種別に応じて、ＶＡＭ解析アプリ又はＶＡＭ３２解析アプリを起動させた後、各解析アプリが提供するデータ読み出し機能を呼び出し、データ読み出し条件を指定した上で、ＶＡＭ又はＶＡＭ３２からのデータ読み出し開始を指示する。
【００６３】
より具体的には、ＶＡＭ解析アプリにおいては、データ読み出し条件として、読み出すデータ数（変化数）を指定して、データ読み出し開始を指示する。一方、ＶＡＭ３２解析アプリにおいては、データ読み出し条件として、データ読み出し範囲（開始時刻と終了時刻）を指定して、データ読み出し開始を指示する。
【００６４】
作業者からデータ読み出し開始が指示されると、各解析アプリは、スマートフォン３００が備えるＢｌｕｅｔｏｏｔｈ通信機能を利用して、データ読み出し指示（コマンド）を、データ読み出し条件（パラメータ）と共にインタフェース装置１００に送信する。
【００６５】
インタフェース装置１００は、スマートフォン３００からのデータ読み出し指示を受信すると、電源投入時に設定された動作モードに応じて、ＶＡＭ又はＶＡＭ３２からのデータ読み出し処理を開始する。
【００６６】
すなわち、動作モードがＶＡＭモードの場合は、インタフェース装置１００（データ読み出し部５３０）は、作業者によって指定されたデータ数（変化数）のデータ読み出し指示を、独自インタフェースを介して、ＶＡＭに送信し、当該データ読み出し指示に応じて、ＶＡＭから送信されてくるデータを、一旦、ＲＡＭ４２０に保存し、指定されたデータ数の読み出しが完了すると、ＲＡＭ４２０上に読み出されたデータを、スマートフォン３００に送信する。
【００６７】
一方、動作モードがＶＡＭ３２モードの場合は、インタフェース装置１００（データ読み出し部５３０）は、スマートフォン３００から受信したデータ読み出し指示を、そのまま、ＲＳ−２３２Ｃインタフェースを介して、ＶＡＭ３２に送信し、当該データ読み出し指示に応じて、ＶＡＭ３２から順次送信されてくるデータを、スマートフォン３００に順次送信する。
【００６８】
以上のようにして、ＶＡＭ又はＶＡＭ３２からスマートフォン３００へのデータ読み出しが完了すると、各解析アプリは、読み出されたデータを、タイムチャート形式でスマートフォン３００の画面に表示させる。
【００６９】
各解析アプリは、データ読み出し機能の他に、読み出されたデータの中から特定の条件に合致する部分を検索する検索機能等を備えており、これらの機能を利用することで、読み出されたデータの解析等を行うことができる。
【００７０】
以上説明したように、本発明によるインタフェース装置１００によれば、踏切器具箱から離れた場所で、踏切動作状態記憶装置からのデータ読み出し等が可能となるので、踏切動作状態記憶装置からデータを読み出す際の作業者の踏切器具箱付近の滞在時間を短縮することが可能となる。
【００７１】
また、上述した実施形態においては、データ読み出し対象となる踏切動作状態記憶装置の各種別に対応する複数のコネクタ１３１，１３２と、データ読み出し対象となる踏切動作状態記憶装置の種別を選択するための種別スイッチ１２２とを備えているので、一台のインタフェース装置１００で、種別の異なる複数の踏切動作状態記憶装置からのデータ読み出しが可能となっている。
【００７２】
以上、本発明の実施形態について説明してきたが、当然のことながら、本発明の実施形態は上記のものに限られない。例えば、上述した実施形態においては、端末装置として、スマートフォンを使用していたが、他の端末装置、例えば、タブレット端末を使用することも考えられる。
【００７３】
また、上述した実施形態においては、インタフェース装置１００と端末装置との間の無線通信に、ＢｌｕｅｔｏｏｔｈのＳＰＰを利用したが、Ｂｌｕｅｔｏｏｔｈの他のプロファイルや、Ｂｌｕｅｔｏｏｔｈ以外の無線通信方式を利用することも考えられる。
【符号の説明】
【００７４】
１００    インタフェース装置
１１１〜１１３    発光ダイオード（ＬＥＤ）
１２１    電源スイッチ
１２２    種別スイッチ
１３１    ＶＡＭ接続用コネクタ
１３２    ＶＡＭ３２接続用コネクタ
１４０    接続用ケーブル
３００    スマートフォン
４１０    ＣＰＵ（マイクロコントローラ）
４２０    ＲＡＭ
４３０    無線通信部
４４１    ＶＡＭ用インタフェース回路
４４２    ＶＡＭ３２用インタフェース回路
４５０    種別選択部
５１０    種別判別部
５２０    受信処理部
５３０    データ読み出し部
５４０    送信処理部
【図１】
2016203831.tif 000003
【図２】
2016203831.tif 000004
【図３】
2016203831.tif 000005
【図４】
2016203831.tif 000006
【図５】
2016203831.tif 000007